(57)【要約】      （修正有）【課題】設備の発現方法、装置、設備及びコンピュータ記憶媒体を提供する。【解決手段】設備の発現を指示するユーザ指令を受信すし、ローカルネットワークに網間接続設備が存在していることを検索し、設備の発現プロセスがまだ終了していなければ、第１の提示情報を送信することを含む。第１の提示情報は、ユーザが網間接続設備の発現をトリガーする方式を案内する情報を含む。設備の発現過程において、網間接続設備の発現をトリガーする方式を案内して、ユーザが便利且つ簡単に提示情報に従ってスムースに網間接続設備の発現をトリガーすることができるようにする。【選択図】図１
2019091448.tif 000002
【特許請求の範囲】
【請求項１】
設備の発現方法であって、
設備の発現を指示するユーザ指令を受信することと、
ローカルネットワークに網間接続設備が存在していることを検索し、設備の発現プロセスがまだ終了していなければ、第１の提示情報を送信することと、を含み、
前記第１の提示情報に、ユーザが前記網間接続設備の発現をトリガーする方式を案内する情報を含む
設備の発現方法。
【請求項２】
汎用プラグアンドプレイＵＰｎＰプロトコルによってローカルネットワークにおける網間接続設備を検索し、網間接続設備のアドレスを取得する
請求項１に記載の設備の発現方法。
【請求項３】
前記網間接続設備は、ゲートウェイ或いはネットワークブリッジを含む
請求項１に記載の設備の発現方法。
【請求項４】
前記網間接続設備の発現の方式は、
網間接続設備におけるハードウェアキーを押圧することを含む
請求項１に記載の設備の発現方法。
【請求項５】
前記設備の発現方法は
前記発現プロセスが終了したが、まだ前記網間接続設備からの権限与え情報を受信していなければ、第２の提示情報を送信すること、を更に含み、
前記第２の提示情報に、設備を再発見する時にユーザが前記網間接続設備の発現をトリガーする方式を案内する情報を含む
請求項１に記載の設備の発現方法。
【請求項６】
前記設備の発現方法は
前記発現プロセスがまだ終了していない時に、前記網間接続設備からの権限与え情報を受信したら、前記権限与え情報を利用してローカル設備リストを取得すること、を更に含む
請求項１に記載の設備の発現方法。
【請求項７】
設備の発現装置であって、
設備の発現を指示するユーザ指令を受信する第１の受信手段と、
ローカルネットワークに網間接続設備が存在していることを検索し、設備の発現プロセスがまだ終了していなければ、第１の提示情報を送信する提示手段と、を含み、
前記第１の提示情報に、ユーザが前記網間接続設備の発現をトリガーする方式を案内する情報を含む
設備の発現装置。
【請求項８】
前記設備の発現装置は
汎用プラグアンドプレイＵＰｎＰプロトコルによってローカルネットワークにおける網間接続設備を検索し、網間接続設備のアドレスを取得し、前記提示手段に検索結果を提供する検索手段を更に含む
請求項７に記載の設備の発現装置。
【請求項９】
前記網間接続設備は、ゲートウェイ或いはネットワークブリッジを含む
請求項７に記載の設備の発現装置。
【請求項１０】
前記網間接続設備の発現の方式は、
網間接続設備におけるハードウェアキーを押圧することを含む
請求項７に記載の設備の発現装置。
【請求項１１】
前記設備の発現装置は、
前記網間接続設備からの権限与え情報を受信する第２の受信手段を更に含み、
前記提示手段は、前記発現プロセスが終了したが、前記第２の受信手段がまだ前記権限与え情報を受信していなければ、第２の提示情報を送信し、前記第２の提示情報に、設備を再発見する時にユーザが前記網間接続設備の発現をトリガーする方式を案内する情報を含む、
請求項７に記載の設備の発現装置。
【請求項１２】
前記設備の発現装置は、
前記網間接続設備からの権限与え情報を受信する第２の受信手段と、
前記発現プロセスがまだ終了していない時に、前記第２の受信手段が前記権限与え情報を受信したら、前記権限与え情報を利用してローカル設備リストを取得するローカル発現手段と、を更に含む
請求項７に記載の設備の発現装置。
【請求項１３】
設備であって、
１つ或いは複数のプロセッサと、
１つ或いは複数のプログラムを記憶する記憶装置と、を含み、
前記１つ或いは複数のプログラムが前記１つ或いは複数のプロセッサによって実行される時に、前記１つ或いは複数のプロセッサに請求項１〜６のいずれか１項に記載の設備の発現方法を実現させる
設備。
【請求項１４】
プロセッサによって実行される時、請求項１〜６のいずれか１項に記載の設備の発現方法方法を実行するプログラム。
【発明の詳細な説明】
【技術分野】
【０００１】
本発明は、コンピュータ応用技術分野に関するものであり、特に設備の発現方法、装置、設備及びコンピュータ記憶媒体に関するものである。
【背景技術】
【０００２】
人工知能の発展とモノのインターネット時代の登場に従って、伝統的なハードウェア設備がスマート方向へ転換している。家庭シーンでは、ユーザと設備とのインタラクション方式も革命的な変化があり、タッチ設備の物理ボタンから、応用ジェスチャーによって操作し、更に音声指令によって要求を表現するまで、スマート住居設備に対する制御を実現している。
【０００３】
典型的な応用シーンとして、家庭ネットワークにおけるゲートウェイ或いはネットワークブリッジ類設備に関する発現過程が比較的に特別であり、ユーザが主動的に設備上のハードウェアキーを押圧することで、本スマートネットワークにおいて設備（後で、ローカル設備と簡単に呼ぶ）の発現を実現する必要がある。しかし、普通のユーザでは、この点を知らなく、常に詳しく説明書を読む必要があり、明らかに、ユーザにとっては非常に不便であり、しばしば慌ててスムースにローカル設備を発現することができない。
【発明の概要】
【発明が解決しようとする課題】
【０００４】
そこで、本発明は、ユーザを案内してローカル設備をスムースに発現することを保証できる設備の発現方法、装置、設備及びコンピュータ記憶媒体を提供する。
【０００５】
具体的な技術案は、以下のようである。
【０００６】
本発明に関する設備の発現方法は、
設備の発現を指示するユーザ指令を受信することと、
ローカルネットワークに網間接続設備が存在していることを検索し、設備の発現プロセスがまだ終了していなければ、第１の提示情報を送信することと、を含み、
上記第１の提示情報に、ユーザが上記網間接続設備の発現をトリガーする方式を案内する情報を含む。
【０００７】
本発明の１つの具体的な実施の形態によると、
汎用プラグアンドプレイＵＰｎＰプロトコルによってローカルネットワークにおける網間接続設備を検索し、網間接続設備のアドレスを取得する。
【０００８】
本発明の１つの具体的な実施の形態によると、
上記網間接続設備は、ゲートウェイ或いはネットワークブリッジを含む。
【０００９】
本発明の１つの具体的な実施の形態によると、
上記網間接続設備の発現の方式は、
網間接続設備におけるハードウェアキーを押圧することを含む。
【００１０】
本発明の１つの具体的な実施の形態によると、
上記設備の発現方法は
上記発現プロセスが終了したが、まだ上記網間接続設備からの権限与え情報を受信していなければ、第２の提示情報を送信すること、を更に含み、
上記第２の提示情報に、設備を再発見する時にユーザが上記網間接続設備の発現をトリガーする方式を案内する情報を含む。
【００１１】
本発明の１つの具体的な実施の形態によると、
上記設備の発現方法は
上記発現プロセスがまだ終了していない時に、上記網間接続設備からの権限与え情報を受信したら、上記権限与え情報を利用してローカル設備リストを取得すること、を更に含む。
【００１２】
本発明に関する設備の発現装置は、
設備の発現を指示するユーザ指令を受信する第１の受信手段と、
ローカルネットワークに網間接続設備が存在していることを検索し、設備の発現プロセスがまだ終了していなければ、第１の提示情報を送信する提示手段と、を含み、
上記第１の提示情報に、ユーザが上記網間接続設備の発現をトリガーする方式を案内する情報を含む。
【００１３】
本発明の１つの具体的な実施の形態によると、
上記設備の発現装置は
汎用プラグアンドプレイＵＰｎＰプロトコルによってローカルネットワークにおける網間接続設備を検索し、網間接続設備のアドレスを取得し、上記提示手段に検索結果を提供する検索手段を更に含む。
【００１４】
本発明の１つの具体的な実施の形態によると、
上記網間接続設備は、ゲートウェイ或いはネットワークブリッジを含む。
【００１５】
本発明の１つの具体的な実施の形態によると、
上記網間接続設備の発現の方式は、
網間接続設備におけるハードウェアキーを押圧することを含む。
【００１６】
本発明の１つの具体的な実施の形態によると、
上記設備の発現装置は、
上記網間接続設備からの権限与え情報を受信する第２の受信手段を更に含み、
上記提示手段は、上記発現プロセスが終了したが、上記第２の受信手段がまだ上記権限与え情報を受信していなければ、第２の提示情報を送信し、上記第２の提示情報に、設備を再発見する時にユーザが上記網間接続設備の発現をトリガーする方式を案内する情報を含む。
【００１７】
本発明の１つの具体的な実施の形態によると、
上記設備の発現装置は、
上記網間接続設備からの権限与え情報を受信する第２の受信手段と、
上記発現プロセスがまだ終了していない時に、上記第２の受信手段が上記権限与え情報を受信したら、上記権限与え情報を利用してローカル設備リストを取得するローカル発現手段と、を更に含む。
【００１８】
本発明に関する設備は、
１つ或いは複数のプロセッサと、
１つ或いは複数のプログラムを記憶する記憶装置と、を含み、
上記１つ或いは複数のプログラムが上記１つ或いは複数のプロセッサによって実行される時に、上記１つ或いは複数のプロセッサに上記設備の発現方法を実現させる。
【００１９】
本発明に関するコンピュータが実行可能な指令を含む記憶媒体は、上記コンピュータが実行可能な指令がコンピュータプロセッサによって実行される時に、上記の方法を実行する。
【００２０】
以上の技術案から分かるように、本発明に係る技術案は、設備の発現過程において、網間接続設備の発現をトリガーする方式を案内して、ユーザが便利で簡単に提示情報に従ってスムースに網間接続設備の発現をトリガーすることができるようにする。
【図面の簡単な説明】
【００２１】
【図１】本発明の実施例に係る方法のフローチャートである。
【図２】本発明の実施例に係る装置の構成図である。
【図３】本発明の実施形態を実現することに適する、例示的なコンピュータシステム／サーバの図面を示す。
【発明を実施するための形態】
【００２２】
本発明の目的、技術案及び利点をより明確で簡潔させるために、以下、図面を参照して実施例を挙げて、本発明を更に説明する。
【００２３】
本発明の実施例で使用される技術用語は、特定の実施例を説明するためのものだけであり、本発明を限定するものではない。本発明の実施例及び特許請求の範囲に使用されている単数形の「１つ」や「前記」や「該」は、文脈がその意味を明確に示すものでない限り、複数形を含むことも意図する。
【００２４】
理解されるべきことは、本願で使用される用語「及び／或いは」は、関連対象を記載する関連関係だけであり、３つの関係を示し、例えば、Ａ及び／或いはＢは、Ａが単独で存在する、ＡとＢが同時に存在する、Ｂが単独で存在するという３つの場合を示す。また、本願の符号「／」は、一般に、前後の関連対象が「或いは」の関係にあることを示す。
【００２５】
コンテキストによって、本願で使用される「…すると」という用語が、「…した時」、「…した場合に」、「確定されたことに応じて」或いは「検出されたことに応じて」と解釈され得る。類似に、コンテキストによって、フレーズ「確定すると」、「（記載の条件或いはイベントが）検出すると」は、「確定された時」、「確定されたことに応じて」、「（記載の条件或いはイベントが）検出された時」或いは「（記載の条件或いはイベントが）検出されたことに応じて」と解釈され得る。
【００２６】
図１は、本発明の実施例に係る方法のフローチャートであり、該方法の実行主体は設備を発現する装置であり、それは、マスタ設備におけるアプリケーション、或いはアプリケーションにおけるインレット或いはソフトウェア開発キット（Ｓｏｆｔｗａｒｅ  Ｄｅｖｅｌｏｐｍｅｎｔ  Ｋｉｔ，ＳＤＫ）等の機能手段である。スマートネットワークシステムによって実行してもよい。或いは、一部がマスタ設備によって実行してもよく、一部がスマートネットワークシステムによって実行してもよい。そのうち、マスタ設備は、ローカルネットワークにおけるユーザとインタラクティブを行い、ユーザ指令をスマートネットワークシステムに送信することができるスマートユーザ設備である。例えば、スマートサウンドボックス、携帯電話、スマートテレビ等である。図１に示すように、該方法は、以下のステップを含むことができる。
【００２７】
１０１において、設備の発現を指示するユーザ指令を受信する。
ユーザは、マスタ設備へユーザ指令を送信することでき、該ユーザ指令が音声指令であい、例えばユーザは、スマートサウンドボックスへ「設備を発見する」との音声指令を送信することができる。該ユーザ指令は、ジェスチャー操作指令、例えばユーザが携帯電話の特定インターフェース上に特定のジェスチャーを入力することで、設備の発現をトリガーする指令であってもよい。該ユーザ指令は、物理キーでトリガーする指令、例えばユーザがスマートテレビのリモコンにおける物理ボタンを押すことで、自動発現をトリガーする指令であってもよい。勿論、他の指令送信形式を採用してもよく、ここでは網羅しない。
【００２８】
１０２において、ローカルネットワークには網間接続設備が存在するかを検索し、存在し且つ設備の発現プロセスがまだ終了していなければ、１０３を実行し、そうでなければ、現在の設備の発現フローを終了する。
【００２９】
本ステップにおいて、マスタ設備は、プラグアンドプレイプロトコル（ＵＰｎＰ）によってローカルネットワークの網間接続設備を検索し、網間接続設備のアドレスを取得することができる。本発明の実施例に関する網間接続設備は、ゲートウェイ或いはネットワークブリッジを含む。網間接続設備のアドレスを取得した時に現在設備の発現プロセスがまだ終了していなければ、１０３を実行し、そうでなければ、現在設備の発現フローを終了する。
【００３０】
１０３において、ユーザに対して網間接続設備の発現をトリガーする方式を提示し、権限与え情報を受信することを待つ。発現プロセスが終了したが網間接続設備により送信された権限与え情報を受信していなければ、１０４を実行する。発現プロセスがまだ終了していなければ、網間接続設備により送信された権限与え情報を受信したら、１０５を実行する。
【００３１】
網間接続設備の発現をトリガーする方式が、予め配置することができ、現在、網間接続設備の発現の方式において比較的に常用するものが、網間接続設備上のハードウェアキーを押圧するものであるので、ユーザに例えば「ネットワークブリッジのハードウェアキーを押圧してください」、或いは「ＸＸＸがあれば、その実体ボタンを押圧してください」等の提示情報を送信することができ、そのうち、ＸＸＸは、網間接続設備の名前である。もちろん、他の発現方式の網間接続設備を採用することも同様に支持し、予め該方式の情報を配置しておけば良い。或いは、異なる網間接続設備は、異なる網間接続設備の発現のトリガ方式に対応してもよく、マスタ設備は、異なる網間接続設備に対して対応する提示を提供することができる。
【００３２】
また、上記提示情報は、クラウドエンドのスマートネットワークシステムによってマスタ設備に送信し、マスタ設備によりユーザに提示してもよい。具体的に、マスタ設備は、ユーザ指令をクラウドエンドのスマートネットワークシステムにアップロードし、検索を実行した後に検索結果もクラウドエンドのスマートネットワークシステムにアップロードし、スマートネットワークシステムによって提示情報（該提示情報は、ユーザに対して網間接続設備の発現をトリガーする方式を案内する情報を含む）をマスタ設備に送信する。
【００３３】
提示の方式として、音声の方式を採用することができ、例えばスマート音響によって提示情報を再生する。スクリーンに提示情報を表示する方式を採用して、例えばスマートテレビ或いは携帯電話に提示情報を表示してもよい。
【００３４】
提示した後に、マスタ設備は、ユーザが網間接続設備のハードウェアキーを押圧することを待つ。ユーザが網間接続設備のハードウェアキーを押圧したら、網間接続設備によって権限与え情報を送信することをトリガーする。該権限与え情報は、開発者標識、Ｔｏｋｅｎ、特定のパスワード等の情報であり、本発明は権限与え情報の形式を制限しない。
【００３５】
１０４において、設備を再発見した時に、ユーザに対して上記網間接続設備の発現をトリガーする方式提示し、ステップ１０１に転移する。
【００３６】
もし、設備の発現プロセスが終了した時に、ユーザがまだ網間接続設備のハードウェアキーを押圧していなければ、マスタ設備はユーザに例えば「設備を再発見した時にネットワークブリッジのハードウェアキーを押圧してください」、或いは「発現が完成し、君のＸＸＸ設備が発現されていなければ、設備を再発見した時にネットワークブリッジのハードウェアキーを押圧してください」等の提示情報を送信することができ、そのうち、ＸＸＸは、網間接続設備の名前である。
【００３７】
また、クラウドエンドスマートネットワーク設備は、発現プロセスが終了したがまだマスタ設備により送信された網間接続設備の権限与え情報を受信していなければ、クラウドエンドの設備発現フロー（後に該フローを紹介する）を実行してもよい。このような場合に、提示情報をマスタ設備に送信し、マスタ設備によってユーザに提示することができる。そのうち、提示情報は、例えば「発現が完成し、Ｙ個の設備を発見し、君のＸＸＸ設備が発現されていなければ、設備を再発見した時にそのハードウェアキーを押圧してください」であり、ただし、Ｙが、クラウドエンドの設備発現フローにおいて発現された設備数量であり、ＸＸＸが、網間接続設備の名前である。
【００３８】
現在、設備の発現プロセスが終了したので、ユーザが再びに設備発現を開始したら、ステップ１０１に転移する。
【００３９】
１０５において、権限与え情報を利用して、ローカル設備リストを取得する。
【００４０】
マスタ設備は網間接続設備により送信された権限与え情報を受信したら、従来のローカル設備発現フローを続けることができる。即ち、権限与え情報をクラウドエンドスマートネットワークシステムへ送信する。クラウドエンドスマートネットワークシステムは該権限与え情報を受信した後に、マスタ設備へ設備の発現請求を送信する。マスタ設備が設備の発現請求を受信した後に、権限与え情報を利用して、設備リストを取得するためのインターフェースにアクセスすることで、ローカル設備リストを取得する。
【００４１】
上記フローにおいて、１０２において網間接続設備を検索していなければ、ユーザへの邪魔を避けるようにユーザに提示を送信しなく、直接にクラウドエンドの設備発現フローを完成する。
【００４２】
クラウドエンドの設備発現フローは、主に、マスタ設備がスマートネットワークシステムへ設備の発現を指示するユーザ指令を送信し、スマートネットワークシステムがユーザ指令を受信した後に、開発者ＢＯＴへ設備発現請求（Ｄｉｓｃｏｖｅｒ  Ａｐｐｌｉｃａｎｃｅｓ  Ｒｅｑｕｅｓｔ）を送信することである。開発者ＢＯＴがＤｉｓｃｏｖｅｒ  Ａｐｐｌｉｃａｎｃｅｓ  Ｒｅｑｕｅｓｔを受信した後に、開発者側データベースから第２の権限与え情報に対応する設備リスト、即ち開発者側設備リストを取得する。そして、設備発現応答（Ｄｉｓｃｏｖｅｒ  Ａｐｐｌｉｃａｎｃｅｓ  Ｒｅｓｐｏｎｓ）によって、開発者側設備リストをスマートネットワークシステムに返信し、スマートネットワークシステムによって、開発者側設備リストを利用してシステム側データベースにおけるクラウドエンドユーザデータを更新することで、クラウドエンドの設備発現フローを実現する。
【００４３】
以上は本発明に提供された方法に関する説明であり、以下、実施例を結合して本発明に提供された装置に関する詳細を説明する。
【００４４】
図２は、本発明の実施例に係る設備の発現装置の構成模式図であり、該装置は、スマートネットワークにおけるマスタ設備に設けてもよく、クラウドエンドのスマートネットワークシステムに設けても良い。一部がマスタ設備に設けてもよく、一部がスマートネットワークシステムに設けても良い。該装置は、アプリケーション、或いはアプリケーションにおけるインレット或いはソフトウェア開発キット（Ｓｏｆｔｗａｒｅ  Ｄｅｖｅｌｏｐｍｅｎｔ  Ｋｉｔ，ＳＤＫ）等の機能手段である。図２に示すように、該装置は、第１の受信手段０１と提示手段０３とを含み、更に検索手段０２、第２の受信手段０４及びローカル発現手段０５を含んでもよい。そのうち、各構成手段の主な機能は、以下のようである。
【００４５】
第１の受信手段０１は、設備の発現を指示するユーザ指令を受信する。
【００４６】
ユーザは、マスタ設備へユーザ指令を送信することでき、該ユーザ指令が音声指令であい、例えばユーザは、スマートサウンドボックスへ「設備を発見する」との音声指令を送信することができる。該ユーザ指令は、ジェスチャー操作指令、例えばユーザが携帯電話の特定インターフェース上に特定のジェスチャーを入力することで、設備の発現をトリガーする指令であってもよい。該ユーザ指令は、物理キーでトリガーする指令、例えばユーザがスマートテレビのリモコンにおける物理ボタンを押すことで、自動発現をトリガーする指令であってもよい。勿論、他の指令送信形式を採用してもよく、ここでは網羅しない。
【００４７】
提示手段０３は、網間接続設備を検索し且つ現在設備の発現プロセスがまだ終了していなければ、第１の提示情報を送信し、上記第１の提示情報に、ユーザに対して網間接続設備の発現をトリガーする方式を案内する情報を含む。
【００４８】
網間接続設備の発現をトリガーする方式が、予め配置することができ、現在、網間接続設備の発現の方式において比較的に常用するものが、網間接続設備上のハードウェアキーを押圧する方式であるので、ユーザに例えば「ネットワークブリッジのハードウェアキーを押圧してください」、或いは「ＸＸＸがあれば、その実体ボタンを押圧してください」等の提示情報を送信することができ、そのうち、ＸＸＸは、網間接続設備の名前である。もちろん、他の発現方式の網間接続設備を採用することも同様に支持し、予め該方式の情報を配置しておけば良い。或いは、異なる網間接続設備は、異なる網間接続設備の発現のトリガ方式に対応してもよく、マスタ設備は、異なる網間接続設備に対して対応する提示を提供することができる。
【００４９】
提示の方式として、音声の方式を採用することができ、例えばスマート音響によって提示情報を再生する。スクリーンに提示情報を表示する方式を採用して、例えばスマートテレビ或いは携帯電話に提示情報を表示してもよい。
【００５０】
検索手段０２は、第１の受信手段０１がユーザ指令を受信した後に、ローカルネットワークに網間接続設備が存在するかを検索する。該検索手段０２は、マスタ設備に設けられる。
【００５１】
具体的に、検索手段０２は、プラグアンドプレイプロトコル（ＵＰｎＰ）によってローカルネットワークの網間接続設備を検索し、網間接続設備のアドレスを取得することができる。本発明の実施例に関する網間接続設備は、ゲートウェイ或いはネットワークブリッジを含むことができる。
【００５２】
ユーザが提示に従って網間接続設備の発現をトリガーしたら、網間接続設備は、権限与え情報をマスタ設備に送信し、この時に第２の受信手段０４は、網間接続設備の権限与え情報を受信する。該権限与え情報は、開発者標識、Ｔｏｋｅｎ、特定のパスワード等の情報であり、本発明は、権限与え情報の形式を制限しない。
【００５３】
発現プロセスが終了した時に第２の受信手段０４がまだ権限与え情報を受信していなければ、提示手段０３は、第２の提示情報を送信し、該第２の提示情報には、設備を再発見した時にユーザに対して網間接続設備の発現をするトリガーする方式を案内する情報を含む。
【００５４】
設備の発現プロセスを終了した時にユーザがまだ網間接続設備のハードウェアキーを押圧していなければ、ユーザに例えば「設備を再発見した時にネットワークブリッジのハードウェアキーを押圧してください」、或いは「発現が完成し、君のＸＸＸ設備が発現されていなければ、設備を再発見した時にネットワークブリッジのハードウェアキーを押圧してください」等の提示情報を送信することができ、そのうち、ＸＸＸは、網間接続設備の名前である。
【００５５】
発現プロセスがまだ終了していない時に第２の受信手段０４が権限与え情報を受信したら、従来のローカル設備発現フローを続け、ローカル発現手段０５によって権限与え情報を利用してローカル設備リストを取得する。
【００５６】
ローカル発現手段０５がマスタ設備に設けられると、スマートネットワークシステムに権限与え情報を送信し、スマートネットワーク設備により送信された設備の発現請求を受信した後に、権限与え情報を利用して、設備リストを取得するためのインターフェースにアクセスすることで、ローカル設備リストを取得する。
【００５７】
ローカル発現設備０５がクラウドエンドのスマートネットワークシステムに設けられると、マスタ設備により送信された権限与え情報を受信した後に、マスタ設備へ設備の発現請求を送信する。
【００５８】
図３は、本発明の実施形態を実現することに適する、例示的なコンピュータシステム／サーバ０１２のブロック図を示す。図３に示すコンピュータシステム／サーバ０１２は、１つの例だけであり、本発明の実施例の機能及び使用範囲を制限していない。
【００５９】
図３に示すように、コンピュータシステム／サーバ０１２は、汎用演算設備の形態で表現される。コンピュータシステム／サーバ０１２の構成要素には、１つ又は複数のプロセッサ０１６と、システムメモリ０２８と、異なるシステム構成要素（システムメモリ０２８とプロセッサ０１６とを含む）を接続するためのバス０１８を含んでいるが、これに限定されない。
【００６０】
バス０１８は、複数種類のバス構成の中の１つ又は複数の種類を示し、メモリバス又はメモリコントローラ、周辺バス、グラフィック加速ポート、プロセッサ又は複数種類のバス構成でのいずれかのバス構成を使用したローカルバスを含む。例えば、それらの架構には、工業標準架構（ISA）バス、マイクロチャンネル架構（MAC）バス、増強型ISAバス、ビデオ電子規格協会（VESA）ローカルバス及び周辺コンポーネント接続（PCI）バスを含んでいるが、これに限定されない。
【００６１】
コンピュータシステム／サーバ０１２には、典型的には複数の種類の、コンピュータシステムが読取り可能な媒体を含む。それらの媒体は、コンピュータシステム／サーバ０１２にアクセスされて使用可能な任意な媒体であり、揮発性の媒体と不揮発性の媒体や移動可能な媒体と移動不可な媒体を含む。
【００６２】
メモリ０２８には、揮発性メモリ形態のコンピュータシステム読取り可能な媒体、例えばランダムアクセスメモリ（RAM）０３０及び／又はキャッシュメモリ０３２を含むことができる。コンピュータシステム／サーバ０１２には、更に他の移動可能／移動不可なコンピュータシステム記憶媒体や揮発性／不揮発性のコンピュータシステム記憶媒体を含むことができる。例として、ストレジ０３４は、移動不可能な不揮発性磁媒体を読み書くために用いられる（図３に示していないが、常に「ハードディスクドライブ」とも呼ばれる）。図３に示していないが、移動可能な不揮発性磁気ディスク（例えば「フレキシブルディスク」）に対して読み書きを行うための磁気ディスクドライブ、及び移動可能な不揮発性光ディスク（例えばＣＤ−ＲＯＭ、ＤＶＤ−ＲＯＭ又は他の光媒体）に対して読み書きを行うための光ディスクドライブを提供できる。このような場合に、ドライブは、それぞれ１つ又は複数のデータ媒体インターフェースによってバス０１８に接続される。メモリ０２８には少なくとも１つのプログラム製品を含み、該プログラム製品には１組の（例えば少なくとも１つの）プログラムモジュールを含み、それらのプログラムモジュールは、本発明の各実施例の機能を実行するように配置される。
【００６３】
１組の（少なくとも１つの）プログラムモジュール０４２を含むプログラム／実用ツール０４０は、例えばメモリ０２８に記憶され、このようなプログラムモジュール０４２には、オペレーティングシステム、１つの又は複数のアプリケーションプログラム、他のプログラムモジュール及びプログラムデータを含んでいるが、これに限定しておらず、それらの例示での１つ又はある組み合にはネットワーク環境の実現を含む可能性がある。プログラムモジュール０４２は、常に本発明に記載されている実施例における機能及び／又は方法を実行する。
【００６４】
コンピュータシステム／サーバ０１２は、１つ又は複数の周辺設備０１４（例えばキーボード、ポインティングデバイス、ディスプレイ０２４等）と通信を行ってもよく、本発明において、コンピュータシステム／サーバ０１２は外部レーダ設備と通信を行い、１つ又は複数のユーザと該コンピュータシステム／サーバ０１２とのインタラクティブを実現することができる設備と通信を行ってもよく、及び／又は該コンピュータシステム／サーバ０１２と１つ又は複数の他の演算設備との通信を実現することができるいずれかの設備（例えばネットワークカード、モデム等）と通信を行っても良い。このような通信は入力／出力（Ｉ／Ｏ）インターフェース０２２によって行うことができる。そして、コンピュータシステム／サーバ０１２は、ネットワークアダプタ０２０によって、１つ又は複数のネットワーク（例えばローカルエリアネットワーク（ＬＡＮ）、広域ネットワーク（ＷＡＮ）及び／又は公衆回線網、例えばインターネット）と通信を行っても良い。図に示すように、ネットワークアダプタ０２０は、バス０１８によって、コンピュータシステム／サーバ０１２の他のモジュールと通信を行う。当然のことながら、図３に示していないが、コンピュータシステム／サーバ０１２と連携して他のハードウェア及び／又はソフトウェアモジュールを使用することができ、マイクロコード、設備ドライブ、冗長処理手段、外部磁気ディスクドライブアレイ、ＲＡＩＤシステム、磁気テープドライブ及びデータバックアップストレジ等を含むが、これに限定されない。
【００６５】
プロセッサ０１６は、メモリ０２８に記憶されているプログラムを実行することで、各々機能応用及びデータ処理を実行し、例えば本発明の実施例が提供した方法フローを実現する。
【００６６】
上記のコンピュータプログラムは、コンピュータ記憶媒体に設けることができ、即ち該コンピュータ記憶媒体にコンピュータプログラムが記憶されており、該プログラムが１つ又は複数のコンピュータに実行される時に、１つ又は複数のコンピュータに本発明の上記の実施例に記載されている方法フロー及び／又は装置操作を実行させる。例えば、上記１つ或いは複数のプロセッサによって本発明の実施例が提供した方法フローを実行する。
【００６７】
時間と技術の発達に伴い、メディアの意味もますます広がり、コンピュータプログラムの伝送方式も、具体的なメディアに限らず、ネットワーク等から直接ダウンロードすることもできる。１つ又は複数のコンピュータ読み取り可能な媒体の任意な組合を採用しても良い。コンピュータ読み取り可能な媒体は、コンピュータ読み取り可能な信号媒体又はコンピュータ読み取り可能な記憶媒体である。コンピュータ読み取り可能な記憶媒体は、例えば、電気、磁気、光、電磁気、赤外線、又は半導体のシステム、装置又はデバイス、或いは上記ものの任意な組合であるが、これに限定されない。コンピュータ読み取り可能な記憶媒体の更なる具体的な例（網羅していないリスト）には、１つ又は複数のワイヤを具備する電気的な接続、携帯式コンピュータ磁気ディスク、ハードディクス、ランダムアクセスメモリ（ＲＡＭ）、リードオンリーメモリ（ＲＯＭ）、消去可能なプログラマブルリードオンリーメモリ（ＥＰＲＯＭ又はフラッシュ）、光ファイバー、携帯式コンパクト磁気ディスクリードオンリーメモリ（ＣＤ−ＲＯＭ）、光メモリ部材、磁気メモリ部材、又は上記ものの任意で適当な組合を含む。本願において、コンピュータ読み取り可能な記憶媒体は、プログラムを含む又は記憶する任意な有形媒体であってもよく、該プログラムは、命令実行システム、装置又はデバイスに使用される又はそれらと連携して使用されるができる。
【００６８】
コンピュータ読み取り可能な信号媒体には、ベースバンドにおいて伝搬されるデータ信号或いはキャリアの一部として伝搬されるデータ信号を含み、それにコンピュータ読み取り可能なプログラムコードが載っている。このような伝搬されるデータ信号について、複数種類の形態を採用でき、電磁気信号、光信号又はそれらの任意で適当な組合を含んでいるが、これに限定されない。コンピュータ読み取り可能な信号媒体は、コンピュータ読み取り可能な記憶媒体以外の任意なコンピュータ読み取り可能な媒体であってもよく、該コンピュータ読み取り可能な媒体は、命令実行システム、装置又はデバイスによって使用される又はそれと連携して使用されるプログラムを送信、伝搬又は転送できる。
【００６９】
コンピュータ読み取り可能な媒体に記憶されたプログラムコードは、任意で適正な媒体によって転送されてもよく、無線、電線、光ケーブル、ＲＦ等、又は上記ものの任意で適当な組合が含まれているが、これに限定されない。
【００７０】
１つ又は複数の種類のプログラミング言語又はそれらの組合で、本発明の操作を実行するためのコンピュータプログラムコードを編集することができ、前記プログラミング言語には、オブジェクト向けのプログラミング言語、例えばＪａｖａ（登録商標）、Ｓｍａｌｌｔａｌｋ、Ｃ＋＋が含まれ、通常のプロシージャ向けプログラミング言語、例えば「Ｃ」言語又は類似しているプログラミング言語も含まれる。プログラムコードは、完全的にユーザコンピュータに実行されてもよく、部分的にユーザコンピュータに実行されてもよく、１つの独立のソフトウェアパッケージとして実行されてもよく、部分的にユーザコンピュータに実行され且つ部分的に遠隔コンピュータに実行されてもよく、又は完全的に遠隔コンピュータ又はサーバに実行されてもよい。遠隔コンピュータに係る場合に、遠隔コンピュータは、ローカルエリアネットワーク（ＬＡＮ）又は広域ネットワーク（ＷＡＮ）を含む任意の種類のネットワークを介して、ユーザコンピュータ、又は、外部コンピュータに接続できる（例えば、インターネットサービス事業者を利用してインターネットを介して接続できる）。
【００７１】
本発明に開示されたいくつの実施例で開示された装置および方法などが、他の手段によって実現できることを理解すべきだ。例えば、上述の装置に関する実施形態は例示だけであり、例えば、上記手段の区分がロジック機能上の区分だけであり、実際的に実現する時、他の区分方式であってもよい。
【００７２】
上記の分離部品として説明された手段が、物理的に分離されてもよく、物理的に分離されなくてもよく、手段として表される部品が、物理手段でもよく、物理手段でなくてもよく、１つの箇所に位置してもよく、又は複数のネットワークセルに分布されても良い。実際の必要に基づいて、その中の部分又は全部を選択して、本実施例の態様の目的を実現できる。
【００７３】
また、本発明の各実施例における各機能手段が、１つの処理手段に集積されてもよく、各手段が物理的に独立に存在してもよく、２つ又は２つ以上の手段が１つの手段に集積されても良い。上記集積された手段は、ハードウェアの形式で実現してもよく、ハードウェア＋ソフトウェア機能手段の形式で実現しても良い。
【００７４】
以上の説明は、本発明の好ましい例示だけであり、本発明を限定するものではなく、本発明の主旨及び原則の範囲で実行したいずれの修正、等価置換、改良なども、すべて本発明の保護する範囲に属すべきである。
【図１】
2019091448.tif 000003
【図２】
2019091448.tif 000004
【図３】
2019091448.tif 000005